(57)【要約】【課題】一般家庭に使用される除湿装置において、換気の空気を利用することによって省エネルギーな除湿運転をすることを目的とする。【解決手段】部屋を換気していることを選択することができる換気連動スイッチ９を備え、前記換気連動スイッチ９が選択されているときは、部屋を換気していないときの除湿運転よりも除湿能力の低い運転を行うことを特徴としたことにより、換気の空気を利用した省エネルギーな除湿運転を行えるという効果が得られる。【選択図】図４
2011167585.tif 000002
【特許請求の範囲】
【請求項１】
部屋を換気していることを選択することができる換気連動スイッチを備え、前記換気連動スイッチが選択されているときは、部屋を換気していないときの除湿運転よりも除湿能力の低い運転を行うことを特徴とする除湿装置。
【請求項２】
湿度センサを備え、湿度により除湿運転の能力を変更することを特徴とする請求項１記載の除湿装置。
【請求項３】
温度センサを備え、温度により除湿運転の能力を変更することを特徴とする請求項１乃至２のいずれかに記載の除湿装置。
【請求項４】
部屋を換気していないときの除湿運転に対して、送風運転の時間を多くすることを特徴とする請求項１乃至３のいずれかに記載の除湿装置。
【請求項５】
部屋を換気していないときの除湿運転に対して、停止している時間を多くすることを特徴とする請求項１乃至３のいずれかに記載の除湿装置。
【請求項６】
湿度が特定の値よりも高くなったときには、換気をしていないときの除湿運転に切り替えることを特徴とする請求項２記載の除湿装置。
【請求項７】
温度が特定の値よりも小さくなったときには、換気をしていないときの除湿運転に切り替えることを特徴とする請求項３記載の除湿装置。
【請求項８】
湿度の変化する割合が特定の範囲にあれば、部屋を換気していないときの除湿運転に対して、除湿能力の低い運転に切り替えていくことを特徴とする請求項２記載の除湿装置。
【請求項９】
湿度の変化する割合が特定の範囲にあれば、除湿能力の高い運転に切り替えていくことを特徴とする請求項８に記載の除湿装置。
【請求項１０】
温度の変化する割合が特定の範囲にあれば、部屋を換気していないときの除湿運転に対して、除湿能力の低い運転に切り替えていくことを特徴とする請求項３に記載の除湿装置。
【請求項１１】
温度の変化する割合が特定の範囲にあれば、除湿能力の高い運転に切り替えていくことを特徴とする請求項１０に記載の除湿装置。
【請求項１２】
湿度センサに高分子型のセンサを用いることを特徴とする請求項２記載の除湿装置。
【請求項１３】
温度センサにサーミスタを用いることを特徴とする請求項３記載の除湿装置。
【発明の詳細な説明】
【技術分野】
【０００１】
本発明は、主に一般家庭における室内の除湿もしくは室内に干した洗濯物の乾燥に使用される除湿装置の省エネルギー運転に関する。
【背景技術】
【０００２】
従来、この種に関する除湿装置は、衣類などの被乾燥物の乾き具合を室内の湿度や温度などから判断し、無駄な運転をすることなく停止する省エネルギーな機能を搭載したものが知られている（例えば、特許文献１参照）。
【０００３】
以下、その除湿装置について説明する。
【０００４】
除湿装置に設けた湿度センサと温度センサの検出値から衣類などの被乾燥物近傍の湿度を推測して、推測した湿度の変化から衣類などの被乾燥物の乾燥具合を精度良く推定して、無駄な運転をすることなく停止する省エネルギーな除湿装置である。
【先行技術文献】
【特許文献】
【０００５】
【特許文献１】特開２００３−４２５１２号公報
【発明の概要】
【発明が解決しようとする課題】
【０００６】
このような従来の除湿装置では、衣類などの非乾燥物を乾燥させる部屋の空気の出入りを少ない状態、すなわち、部屋の換気をしていない状態にしておかなければ、湿度センサや温度センサの検出値から衣類などの非乾燥物近傍の湿度の変化を精度良く推測できないため、本来の省エネルギーな運転をすることができないという課題を有していた。
【０００７】
そこで本発明は、上記従来の課題を解決するものであり、使用者が部屋の換気をしながら使用しても無駄な除湿運転を行うことなく、省エネルギーな運転をすることができる除湿装置を提供することを目的としている。
【課題を解決するための手段】
【０００８】
そして、この目的を達成するために、本発明は、部屋を換気していることを選択することができる換気連動スイッチを備え、前記換気連動スイッチが選択されているときは、部屋を換気していないときの除湿運転よりも除湿能力の低い運転を行うことを特徴としたものであり、これにより所期の目的を達成するものである。
【発明の効果】
【０００９】
本発明によれば、部屋を換気していることを選択することができる換気連動スイッチを備え、前記換気連動スイッチが選択されているときは、部屋を換気していないときの除湿運転よりも除湿能力の低い運転を行うことを可能にし、換気の空気を利用した省エネルギーな除湿運転を行えるという効果を得ることができる。
【図面の簡単な説明】
【００１０】
【図１】本発明の実施の形態１の除湿装置の図
【図２】本発明の実施の形態１の除湿装置の内部の図
【図３】同除湿装置の運転モードと駆動する負荷の組み合わせを示す図
【図４】同除湿装置の運転の第１のフローチャート
【図５】同除湿装置の運転の第２のフローチャート
【図６】同除湿装置の運転の第３のフローチャート
【図７】同除湿装置の運転の第４のフローチャート
【図８】同除湿装置の運転の第５のフローチャート
【図９】同除湿装置の運転の第６のフローチャート
【発明を実施するための形態】
【００１１】
本発明の請求項１記載の除湿装置は、部屋を換気していることを選択することができる換気連動スイッチを備え、前記換気連動スイッチが選択されているときは、部屋を換気していないときの除湿運転よりも除湿能力の低い運転を行う構成を有する。これにより、換気の空気を利用した省エネルギーな除湿運転を行えるという効果を奏する。
【００１２】
また、湿度センサを備え、湿度により除湿運転の能力を変更する構成にしてもよい。これにより、湿度の変化から除湿運転を切り替えることができるという効果を奏する。
【００１３】
また、温度センサを備え、温度により除湿運転の能力を変更する構成にしてもよい。これにより、温度の変化から除湿運転を切り替えることができるという効果を奏する。
【００１４】
また、部屋を換気していないときの除湿運転に対して、送風運転の時間を多くする構成にしてもよい。これにより、換気された室内の空気を衣類などの非乾燥物近傍に送風して、衣類などの非乾燥物近傍の湿度の高い空気を強制的に排除することができるという効果を奏する。
【００１５】
また、部屋を換気していないときの除湿運転に対して、停止している時間を多くする構成にしてもよい。これにより、電力を消費せずに換気の空気に衣類などの非乾燥物の水分を逃がすことができるという効果を奏する。
【００１６】
また、湿度が特定の値よりも高くなったときには、換気をしていないときの除湿運転に切り替える構成にしてもよい。これにより、室内の湿度が高い状態のときに衣類などの非乾燥物の水分蒸発が少なくなり、衣類などの非乾燥物の乾燥に長い時間がかかってしまうことを防止することができるという効果を奏する。
【００１７】
また、温度が特定の値よりも小さくなったときには、換気をしていないときの除湿運転に切り替える構成にしてもよい。これにより、室内の温度が低い状態のときに衣類などの非乾燥物の水分蒸発が少なくなり、衣類などの非乾燥物の乾燥に長い時間がかかってしまうことを防止することができるという効果を奏する。
【００１８】
また、湿度の変化する割合が特定の範囲にあれば、部屋を換気していないときの除湿運転に対して、除湿能力の低い運転に切り替えていく構成にしてもよい。これにより、換気の空気と除湿運転の除湿能力を効率良く利用することができるという効果を奏する。
【００１９】
また、湿度の変化する割合が特定の範囲にあれば、除湿能力の高い運転に切り替えていく構成にしてもよい。これにより、衣類などの非乾燥物の乾燥に時間がかからないようにすることができるという効果を奏する。
【００２０】
また、温度の変化する割合が特定の範囲にあれば、部屋を換気していないときの除湿運転に対して、除湿能力の低い運転に切り替えていく構成にしてもよい。これにより、除湿運転の除湿能力を効率良く利用することができるという効果を奏する。
【００２１】
また、温度の変化する割合が特定の範囲にあれば、除湿能力の高い運転に切り替えていく構成にしてもよい。これにより、衣類などの非乾燥物の乾燥に時間がかからないようにすることができるという効果を奏する。
【００２２】
また、湿度センサに高分子型のセンサを用いる構成にしてもよい。これにより、安価な手段で湿度を検知できるという効果を奏する。
【００２３】
また、温度センサにサーミスタを用いる構成にしてもよい。これにより、安価な手段で温度を検知できるという効果を奏する。
【００２４】
以下、本発明の実施の形態について図面を参照しながら説明する。
【００２５】
（実施の形態１）
図１と図２に本発明に関わる除湿装置の全体構成を示す。
【００２６】
図１に示すように、除湿装置は、本体１の天面に除湿装置の操作と運転状態を表示するための操作表示部２と室内の空気を吸い込む吸込口３と除湿された空気を吹き出すための吹出口４と吹出口４から吹き出す空気の風向を上下方向に変化させるための風向ルーバー５と水平方向に送風範囲を変化させる送風範囲ルーバー６と除湿した水分を集めるためのタンク７と室内の空気の温度と湿度を検知する温湿度センサ８を備えている。また、操作表示部２には、部屋を換気していることを選択することができる換気連動スイッチ９を備えている。
【００２７】
図には示していないが、温湿度センサ８は、雰囲気温度の検知と雰囲気湿度の検知ができるものであればよく、それぞれ安価なサーミスタや高分子センサなどを使用することができる。
【００２８】
除湿装置の本体１の内部には、図２に示すように、除湿装置の運転を制御する制御装置１０と、吸い込んだ空気の水分を吸着する吸湿材１１と、吸湿材１１を加熱して吸湿材１１から水分を放出させるための再生ヒーターＬ１２と再生ヒーターＨ１３と吸湿材１１から放出される水分を凝縮させるための凝縮器１４と室内の空気を吸込口３から吸い込んで本体１の内部を循環させて除湿した空気を吹出口４から吹き出すためのファン１５と風向ルーバー５と送風範囲ルーバー６を駆動するためのステッピングモータなどが収納されている。ここでの再生ヒーターは、再生ヒーターＬ１２よりも再生ヒーターＨ１３の消費電力の方が大きい構成としているが、それぞれの役割は同じであり、除湿能力を段階的に調整することを可能とするために、このような構成としている。また、制御装置１０には、負荷を駆動するためのトライアックやリレーなどの電子部品で構成された負荷駆動回路１６と、カウンターやタイマーや時計機能などＲＡＭやＲＯＭを内部に持つマイコン１７を備えている。ここで、マイコン１７の動作はマイコン内のカウンターやタイマーや時計機能やＲＡＭやＲＯＭが共同するマイコンのプログラムの形態で実施さる。
【００２９】
上記のように構成した除湿装置において、換気連動スイッチが選択されたときの除湿装置の運転方法について、図３から図９を参照しながら説明する。
【００３０】
図３に示すように、除湿装置の運転モードはＡからＦの６種類があり、運転モードＡから運転モードＤは除湿運転、運転モードＥは送風運転、運転モードＦは停止となる。また、各運転モードの除湿能力と消費電力の大きさは、運転モードＦからＡになるにつれて大きくなる。
【００３１】
例えば、使用者が図３に示す除湿装置の運転モードＡを選択しても換気連動スイッチ９を選択したときには、除湿能力および消費電力の低い運転モードＢで運転する。このような運転をすることで、換気による空気が衣類などの非乾燥物の乾燥に付与する効果を考慮した除湿運転を行うことが可能となり、換気を利用した省エネルギーな除湿装置が得られる。
【００３２】
ここでは、湿度や温度により自動的に運転モードが変わらない内容で説明しているが、湿度や温度により自動的に除湿装置の運転モードが変化する場合であっても、新たに選択される換気をしていないときの運転モードよりも除湿能力が低い運転をすることにより、同様の効果を得ることができる。
【００３３】
また、使用者が図３に示す除湿装置の運転モードＢを選択しても換気連動スイッチ９を選択したときには、除湿装置の運転開始から一定時間の間はヒーターＬ１２やヒーターＨ１３や凝縮器１４に比べて非常に消費電力の小さいファン１５のみの送風運転である運転モードＥで運転し、一定時間経過後は除湿能力および消費電力の低い運転モードＣで運転する。このような運転をすることで、換気によって湿度の低くなった室内の空気を衣類などの非乾燥物に吹き付けて、衣類などの非乾燥物近傍の湿度の高い空気を強制的に排除することができる換気を利用した省エネルギーな除湿装置が得られる。
【００３４】
また、使用者が図３に示す除湿装置の運転モードＢを選択しても換気連動スイッチ９を選択したときには、除湿能力および消費電力の低い運転モードＣで運転する。ここで、さらに換気の空気を利用するために、運転モードＣで運転を開始する前に一定時間の間は運転モードＣに比べて非常に消費電力の小さいファン１５のみの送風運転である運転モードＥで運転するように運転する。送風運転の時間としては、１時間程度が妥当である。このような運転をすることで、換気によって湿度の低くなった室内の空気を衣類などの非乾燥物に吹き付けて、衣類などの非乾燥物近傍の湿度の高い空気を強制的に排除することができる換気を利用した省エネルギーな除湿装置が得られる。
【００３５】
ここでは、湿度や温度により自動的に運転モードが変わらない内容で説明しているが、湿度や温度により自動的に除湿装置の運転モードが変化する場合であっても、新たに選択される換気をしていないときの運転モードよりも除湿能力が低い運転をすることにより、同様の効果を得ることができる。
【００３６】
また、使用者が図３に示す除湿装置の運転モードＣを選択しても換気連動スイッチ９を選択したときには、除湿能力および消費電力の低い運転モードＤで運転する。一定時間運転モードＤで運転した後、一定時間運転停止である運転モードＦを選択し、運転モードＤと運転モードＥを繰り返すように運転する。このような運転をすることで、電力を消費せずに換気の空気に衣類などの非乾燥物の水分を逃がすことができる換気を利用した省エネルギーな除湿装置が得られる。
【００３７】
また、使用者が図３に示す除湿装置の運転モードＣを選択しても換気連動スイッチ９を選択したときには、除湿能力および消費電力の低い運転モードＤで運転する。ここで、さらに換気の空気を利用するために、運転モードＣで運転を開始してから一定時間経過後、運転モードＣで運転した運転時間よりも短い時間の範囲で運転停止である運転モードＦで運転する。運転モードＣと運転モードＦの時間としては、それぞれ１時間程度と１５分程度が妥当である。このような運転を繰り返すことで、電力を消費せずに換気の空気に衣類などの非乾燥物の水分を逃がすことができる換気を利用した省エネルギーな除湿装置が得られる。
【００３８】
ここでは、湿度や温度により自動的に運転モードが変わらない内容で説明しているが、湿度や温度により自動的に除湿装置の運転モードが変化する場合であっても、新たに選択される換気をしていないときの運転モードよりも除湿能力が低い運転をすることにより、同様の効果を得ることができる。
【００３９】
次に、室内の湿度を考慮した場合の動作について説明する。
【００４０】
図４に示すように、ステップ１で除湿装置に電源を投入し、ステップ２で操作表示部２からの操作により除湿装置の運転を開始する。次に、ステップ３にて換気連動スイッチ９が選択されているかどうかを判断し、換気連動スイッチ９が選択されていなければ、ステップ５に移行してステップ２の操作表示部２で選択した換気をしていないときの運転を行い、換気連動スイッチ９が選択されていればステップ４に移行する。ステップ４にて制御装置１０に搭載されているマイコン１７で予め設定しておいた運転を切り替える設定湿度Ｈと温湿度センサ８から検知した室内の湿度Ｈ１とを比較して、室内の湿度が高いか低いかを判断する。もし、室内の湿度Ｈ１が設定湿度Ｈよりも低ければ、ステップ８に移行してステップ２の操作表示部２で選択した換気をしていないときの運転よりも除湿能力の低い運転に切り替え、室内の湿度Ｈ１が設定湿度Ｈ以上であれば、ステップ５に移行してステップ２の操作表示部２で選択した換気をしていないときの運転を行う。次にステップ６に移行して運転停止の命令があるかどうかを確認し、停止命令がない場合はステップ９で一定時間Ｔ１経過した後にステップ３に移行する。そして、ステップ３からステップ６を繰返し確認しながら除湿装置の運転を行う。また、ステップ６で停止命令がある場合は、ステップ７に移行して除湿装置の運転を停止する。このような運転をすることで、室内の湿度が高い状態のときに衣類などの非乾燥物の水分蒸発が少なくなり、衣類などの非乾燥物の乾燥に長い時間がかかってしまうことを防止することができる換気を利用した省エネルギーな除湿装置が得られる。
【００４１】
ここでは、温度により自動的に運転モードが変わらない内容で説明しているが、温度により自動的に除湿装置の運転モードが変化する場合であっても、新たに選択される換気をしていないときの運転モードよりも除湿能力が低い運転をすることにより、同様の効果を得ることができる。
【００４２】
次に、室内の温度を考慮した場合の動作について説明する。
【００４３】
図５に示すように、ステップ１で除湿装置に電源を投入し、ステップ２で操作表示部２からの操作により除湿装置の運転を開始する。次に、ステップ３にて換気連動スイッチ９が選択されているかどうかを判断し、換気連動スイッチ９が選択されていなければ、ステップ５に移行してステップ２の操作表示部２で選択した換気をしていないときの運転を行い、換気連動スイッチ９が選択されていればステップ４に移行する。ステップ４にて制御装置１０に搭載されているマイコン１７で予め設定しておいた運転を切り替える設定温度Ｒと温湿度センサ８から検知した室内の温度Ｒ１とを比較して、室内の温度が高いか低いかを判断する。もし、室内の温度Ｒ１が設定温度Ｒよりも高いときは、ステップ８に移行してステップ２の操作表示部２で選択した換気をしていないときの運転よりも除湿能力の低い運転に切り替え、室内の温度Ｒ１が設定温度Ｒ以上であれば、ステップ５に移行してステップ２の操作表示部２で選択した換気をしていないときの運転を行う。次にステップ６に移行して運転停止の命令があるかどうかを確認し、停止命令がない場合はステップ９で一定時間Ｔ２経過した後にステップ３に移行する。そして、ステップ３からステップ６を繰返し確認しながら除湿装置の運転を行う。また、ステップ６で停止命令がある場合は、ステップ７に移行して除湿装置の運転を停止する。このような運転をすることで、室内の温度が低い状態のときに衣類などの非乾燥物の水分蒸発が少なくなり、衣類などの非乾燥物の乾燥に長い時間がかかってしまうことを防止することができる換気を利用した省エネルギーな除湿装置が得られる。
【００４４】
ここでは、湿度により自動的に運転モードが変わらない内容で説明しているが、湿度により自動的に除湿装置の運転モードが変化する場合であっても、新たに選択される換気をしていないときの運転モードよりも除湿能力が低い運転をすることにより、同様の効果を得ることができる。
【００４５】
次に、運転中の湿度変化に対応した運転動作について除湿能力を下げる場合について説明する。
【００４６】
図６に示すように、ステップ１で除湿装置に電源を投入し、ステップ２で操作表示部２からの操作により除湿装置の運転を開始する。次に、ステップ３にて換気連動スイッチ９が選択されているかどうかを判断し、換気連動スイッチ９が選択されていなければ、ステップ１２に移行してステップ２の操作表示部２で選択した換気をしていないときの運転モードで運転を行い、換気連動スイッチ９が選択されていればステップ４に移行して現在選択されている運転モードで運転をする。ここでの現在選択されている運転モードとは、運転開始直後においては運転開始時に選択された換気をしていないときの運転モードもしくは換気していないときの運転モードの除湿能力よりも一つ下の除湿能力の運転モードである。次にステップ５にて制御装置１０に搭載されているマイコン１７で温湿度センサ８から室内の湿度Ｈ２を検知し、ステップ６で一定時間Ｔ３の間隔をおいてからステップ７に移行して、温湿度センサ８から室内の湿度Ｈ３を検知する。そして、ステップ８で予め設定しておいた運転を切り替える湿度差△Ｈ１と湿度Ｈ３と湿度Ｈ２の差とを比較して、室内の湿度の低下する割合が大きいか小さいかを判断する。もし、予め設定してある湿度差△Ｈ１よりも湿度Ｈ３と湿度Ｈ２の差が大きい場合は、過剰な除湿能力の運転をしていると判断してステップ９に移行し、現在選択している運転モードよりも一つ除湿能力が下の運転モードに切り替える。また、予め設定してある湿度差△Ｈ１よりも湿度Ｈ３と湿度Ｈ２の差が小さい場合は、適切な除湿能力の運転をしていると判断し、ステップ１３に移行して現在選択している運転モードを継続する。次にステップ１０に移行して運転停止の命令があるかどうかを確認し、停止命令がない場合はステップ３に移行して、ステップ３からステップ１０を繰返し確認しながら除湿装置の運転を行う。また、停止命令がある場合は、ステップ１１に移行して除湿装置の運転を停止する。このような運転をすることで、室内の湿度変化から除湿装置の運転モードが適切かどうかを判断することが可能となり、換気の空気と除湿運転の除湿能力を効率良く利用することができるという省エネルギーな除湿装置が得られる。
【００４７】
ここでは、温度により自動的に運転モードが変わらない内容で説明しているが、温度により自動的に除湿装置の運転モードが変化する場合であっても、新たに選択される換気をしていないときの運転モードよりも除湿能力が低い運転をすることにより、同様の効果を得ることができる。
【００４８】
次に、運転中の湿度変化に対応した運転動作について除湿能力を上げる場合について説明する。
【００４９】
図７に示すように、ステップ１で除湿装置に電源を投入し、ステップ２で操作表示部２からの操作により除湿装置の運転を開始する。次に、ステップ３にて換気連動スイッチ９が選択されているかどうかを判断し、換気連動スイッチ９が選択されていなければ、ステップ１２に移行してステップ２の操作表示部２で選択した換気をしていないときの運転モードで運転を行い、換気連動スイッチ９が選択されていればステップ４に移行して現在選択されている運転モードで運転をする。ここでの現在選択されている運転モードとは、運転開始直後においては運転開始時に選択された換気をしていないときの運転モードもしくは換気していないときの運転モードの除湿能力よりも一つ下の除湿能力の運転モードである。次にステップ５にて制御装置１０に搭載されているマイコン１７で温湿度センサ８から室内の湿度Ｈ４を検知し、ステップ６で一定時間Ｔ４の間隔をおいてからステップ７に移行して、温湿度センサ８から室内の湿度Ｈ５を検知する。そして、ステップ８で予め設定しておいた運転を切り替える湿度差△Ｈ２と湿度Ｈ５と湿度Ｈ４の差とを比較して、室内の湿度の低下する割合が大きいか小さいかを判断する。もし、予め設定してある湿度差△Ｈ２よりも湿度Ｈ５と湿度Ｈ４の差が大きい場合は、除湿能力が不足していると判断して、ステップ９に移行し、現在選択している運転モードよりも一つ除湿能力が上の運転モードに切り替える。また、予め設定してある湿度差△Ｈ２よりも湿度Ｈ５と湿度Ｈ４の差が小さい場合は、適切な除湿能力で運転していると判断し、ステップ１３に移行して現在選択している運転モードを継続する。次にステップ１０に移行して運転停止の命令があるかどうかを確認し、停止命令がない場合はステップ３に移行して、ステップ３からステップ１０を繰返し確認しながら除湿装置の運転を行う。また、停止命令がある場合は、ステップ１１に移行して除湿装置の運転を停止する。このような運転をすることで、室内の湿度変化から除湿装置の運転モードが適切かどうかを判断することが可能となり、衣類などの非乾燥物の乾燥に時間がかからないようにする省エネルギーな除湿装置が得られる。
【００５０】
ここでは、温度により自動的に運転モードが変わらない内容で説明しているが、温度により自動的に除湿装置の運転モードが変化する場合であっても、新たに選択される換気をしていないときの運転モードよりも除湿能力が低い運転をすることにより、同様の効果を得ることができる。
【００５１】
図には示していないが、図６と図７を順番に繰り返して除湿装置を制御することにより、湿度の変化から除湿能力が過剰であるか不足しているかを検知して、除湿装置の選択されている運転モードの除湿能力が適切であるかどうかを判断することが可能となり、衣類などの非乾燥物の乾燥に余分な時間をかけず、かつ、換気の空気と除湿運転の除湿能力を効率良く利用することができるという省エネルギーな除湿装置が得られる。
【００５２】
また、図６と図７の湿度検知と経過時間を共用し、それぞれの湿度の変化による運転モードの選択を連続して行う構成にしても同様の効果を得ることが可能である。
【００５３】
次に、運転中の温度変化に対応した運転動作について除湿能力を下げる場合について説明する。図８に示すように、ステップ１で除湿装置に電源を投入し、ステップ２で操作表示部２からの操作により除湿装置の運転を開始する。次に、ステップ３にて換気連動スイッチ９が選択されているかどうかを判断し、換気連動スイッチ９が選択されていなければ、ステップ１２に移行してステップ２の操作表示部２で選択した換気をしていないときの運転モードで運転を行い、換気連動スイッチ９が選択されていればステップ４に移行して現在選択されている運転モードで運転をする。ここでの現在選択されている運転モードとは、運転開始直後においては運転開始時に選択された換気をしていないときの運転モードもしくは換気していないときの運転モードの除湿能力よりも一つ下の除湿能力の運転モードである。次にステップ５にて制御装置１０に搭載されているマイコン１７で温湿度センサ８から室内の温度Ｒ２を検知し、ステップ６で一定時間Ｔ５の間隔をおいてからステップ７に移行して、温湿度センサ８から室内の温度Ｒ３を検知する。そして、ステップ８で予め設定しておいた運転を切り替える温度差△Ｒ１と温度Ｒ３と温度Ｒ２の差とを比較して、室内の温度の上昇する割合が大きいか小さいかを判断する。もし、予め設定してある温度差△Ｒ１よりも温度Ｒ３と温度Ｒ２の差が大きい場合は、過剰な除湿能力の運転をしていると判断して、ステップ９に移行し、現在選択している運転モードよりも一つ除湿能力が下の運転モードに切り替える。また、予め設定してある温度差△Ｒ１よりも温度Ｒ３と温度Ｒ２の差が小さい場合は、適切な除湿能力で運転していると判断し、ステップ１３に移行して現在選択している運転モードを継続する。次にステップ１０に移行して運転停止の命令があるかどうかを確認し、停止命令がない場合はステップ３に移行して、ステップ３からステップ１０を繰返し確認しながら除湿装置の運転を行う。また、停止命令がある場合は、ステップ１１に移行して除湿装置の運転を停止する。このような運転をすることで、室内の温度変化から除湿装置の運転モードが適切かどうかを判断することが可能となり、換気の空気と除湿運転の除湿能力を効率良く利用することができるという省エネルギーな除湿装置が得られる。
【００５４】
ここでは、湿度により自動的に運転モードが変わらない内容で説明しているが、湿度により自動的に除湿装置の運転モードが変化する場合であっても、新たに選択される換気をしていないときの運転モードよりも除湿能力が低い運転をすることにより、同様の効果を得ることができる。
【００５５】
次に、運転中の温度変化に対応した運転動作について除湿能力を上げる場合について説明する。
【００５６】
図９に示すように、ステップ１で除湿装置に電源を投入し、ステップ２で操作表示部２からの操作により除湿装置の運転を開始する。次に、ステップ３にて換気連動スイッチ９が選択されているかどうかを判断し、換気連動スイッチ９が選択されていなければ、ステップ１２に移行してステップ２の操作表示部２で選択した換気をしていないときの運転モードで運転を行い、換気連動スイッチ９が選択されていればステップ４に移行して現在選択されている運転モードで運転をする。ここでの現在選択されている運転モードとは、運転開始直後においては運転開始時に選択された換気をしていないときの運転モードもしくは換気していないときの運転モードの除湿能力よりも一つ下の除湿能力の運転モードである。次にステップ５にて制御装置１０に搭載されているマイコン１７で温湿度センサ８から室内の温度Ｒ４を検知し、ステップ６で一定時間Ｔ６の間隔をおいてからステップ７に移行して、温湿度センサ８から室内の温度Ｒ５を検知する。そして、ステップ８で予め設定しておいた運転を切り替える温度差△Ｒ２と温度Ｒ５と温度Ｒ４の差とを比較して、室内の湿度の低下する割合が大きいか小さいかを判断する。もし、予め設定してある温度差△Ｒ２よりも設定温度Ｒと温度Ｒ４の差が小さい場合は、除湿能力が不足していると判断して、ステップ９に移行し、現在選択している運転モードよりも一つ除湿能力が上の運転モードに切り替える。また、予め設定してある温度差△Ｒ２よりも温度Ｒ５と温度Ｒ４の差が小さい場合は、適切な除湿能力で運転していると判断し、ステップ１３に移行して現在選択している運転モードを継続する。次にステップ１０に移行して運転停止の命令があるかどうかを確認し、停止命令がない場合はステップ３に移行して、ステップ３からステップ１０を繰返し確認しながら除湿装置の運転を行う。また、停止命令がある場合は、ステップ１１に移行して除湿装置の運転を停止する。このような運転をすることで、室内の温度変化から除湿装置の運転モードが適切かどうかを判断することが可能となり、衣類などの非乾燥物の乾燥に時間がかからないようにする省エネルギーな除湿装置が得られる。
【００５７】
ここでは、湿度により自動的に運転モードが変わらない内容で説明しているが、湿度により自動的に除湿装置の運転モードが変化する場合であっても、新たに選択される換気をしていないときの運転モードよりも除湿能力が低い運転をすることにより、同様の効果を得ることができる。
【００５８】
図には示していないが、図８と図９を順番に繰り返して除湿装置を制御することにより、温度の変化から除湿能力が過剰であるか不足しているかを検知して、除湿装置の選択されている運転モードの除湿能力が適切であるかどうかを判断することが可能となり、衣類などの非乾燥物の乾燥に余分をかけず、かつ、換気の空気と除湿運転の除湿能力を効率良く利用することができるという省エネルギーな除湿装置が得られる。
【００５９】
また、図８と図９の温度検知と経過時間を共用し、それぞれの温度の変化による運転モードの選択を連続して行う構成にしても同様の効果を得ることが可能である。
【産業上の利用可能性】
【００６０】
本発明にかかる除湿装置は、換気を利用して効率の良い除湿運転することを可能とするものであるので、一般家庭で使用される家電機器の省エネルギー運転として有用である。
【符号の説明】
【００６１】
１    本体
２    操作表示部
３    吸込口
４    吹出口
５    風向ルーバー
６    送風範囲ルーバー
７    タンク
８    温湿度センサ
９    換気連動スイッチ
１０  制御装置
１１  吸湿材
１２  再生ヒーターＬ
１３  再生ヒーターＨ
１４  凝縮器
１５  ファン
１６  負荷駆動回路
１７  マイコン
【図１】
2011167585.tif 000003
【図２】
2011167585.tif 000004
【図３】
2011167585.tif 000005
【図４】
2011167585.tif 000006
【図５】
2011167585.tif 000007
【図６】
2011167585.tif 000008
【図７】
2011167585.tif 000009
【図８】
2011167585.tif 000010
【図９】
2011167585.tif 000011